(57)【特許請求の範囲】
【請求項１】
携帯電話機を充電する携帯電話機充電システムにおいて、
複数の前記携帯電話機を同時に充電することが可能である複数の充電装置と、
各前記充電装置に接続され、基地局を介した前記携帯電話機との情報交換に基づいて識別情報により該当する前記充電装置に充電を開始させると共に発信者番号により前記携帯電話機の認証を行い、前記充電装置の使用に対して課金を行う充電制御部とを備えることを特徴とする携帯電話機充電システム。
【請求項２】
前記充電制御部には前記基地局を介した前記携帯電話機と情報交換を行うメッセージ送受信部が設けられ、前記基地局を介して、前記メッセージ送受信部は、充電開始要求の情報を前記携帯電話機から受信し、前記充電開始要求の情報に対する応答である充電開始確認の情報を前記携帯電話機に送信し、前記充電開始確認の情報に対する送信開始の了解情報を前記携帯電話機から受信することを特徴とする、請求項１に記載の携帯電話機充電システム。
【請求項３】
前記充電装置に前記携帯電話機が装着され、且つ前記携帯電話機から前記基地局及び前記充電制御部を介して前記充電装置に充電開始要求情報が受信された時に、前記充電制御部から前記携帯電話機に前記基地局を介して充電開始確認情報の送信が行われることを特徴とする、請求項１に記載の携帯電話機充電システム。
【請求項４】
前記充電装置の各々には固有情報入力部が設けられ、前記固有情報入力部に前記携帯電話機の固有情報が入力されると、前記メッセージ送受信部は前記固有情報に基づいて充電開始要求の情報を、前記基地局を介して、前記携帯電話機に送信し、前記充電開始要求の情報の応答である充電開始の情報を、前記基地局を介して、前記携帯電話機から受信することを特徴とする、請求項１に記載の携帯電話機充電システム。
【請求項５】
前記充電制御部は前記携帯電話機に使用料金の情報を、前記基地局を介して、提供することを特徴とする、請求項１に記載の携帯電話機充電システム。
【請求項６】
複数の前記充電装置と前記充電制御部の間が有線又は無線で接続されることを特徴とする、請求項１に記載の携帯電話機充電システム。
【請求項７】
複数の前記充電装置と前記充電制御部が一体に形成されることを特徴とする、請求項１に記載の携帯電話機充電システム。
【請求項８】
前記携帯電話機の電池容量が全くない場合に、本格的な充電開始までの一定時間、前記基地局を介した前記携帯電話機と前記充電制御部との間の情報交換なしに充電を行うことを特徴とする、請求項１に記載の携帯電話機充電システム。
【請求項９】
前記充電装置の使用に対する使用料金が電話料金と合わせて課金されることを特徴とする、請求項１に記載の携帯電話機充電システム。
【請求項１０】
携帯電話機を充電する携帯電話機充電方法において、
複数の携帯電話機を同時に充電することが可能である複数の充電装置に接続される充電制御部が基地局を介して携帯電話機から充電開始要求、充電装置の識別情報、発信者番号を受信する工程と、
識別情報により該当する充電装置に対して前記充電制御部から充電開始要求を送信する工程と、
充電開始要求を受信した充電装置では携帯電話機の装着を確認し充電装置から前記充電制御部に充電開始確認を送信する工程と、
充電開始確認を受信した前記充電制御部では基地局を介して前記携帯電話機に充電開始確認要求を送信し、充電開始の了解の伝達に対して、発信者番号により携帯電話機の認証を行い、前記充電装置に対して通電開始要求を行い、前記充電装置から充電開始及び充電終了の情報を受信し使用時間の計測に基づく使用料金を、基地局を介して、前記携帯電話機に送信し、前記携帯電話機の充電に対して課金を行う工程とを備えることを特徴とする携帯電話機充電方法。
【発明の詳細な説明】
【０００１】
【産業上の利用分野】
本発明は携帯電話機に関する。特に、本発明は、外出先で手軽に充電できる携帯電話機充電システム及び方法に関する。
【０００２】
【従来の技術】
従来、携帯電話機の電池容量が不足した場合、充電装置がある自宅等に持ち帰って充電する必要があり、その間、携帯電話機が使用できなかった。
このため、携帯電話機の電池容量不足時に直ぐ充電できるように充電装置を持ち歩くのでは、荷物になる。
【０００３】
上記のような電池容量不足に対して、特開２０００−１０１７５６号公報には、硬貨を投入することで、携帯電話機を充電する携帯電話機充電システムが開示されている。
【０００４】
【発明が解決しょうとする課題】
しかしながら、上記携帯電話機充電システムでは、利用者にとって、硬貨を持っていない場合には利用できないという問題がある。
したがって、本発明は上記問題点に鑑みて、硬貨を持っていなくても、外出先で手軽に充電できる携帯電話機充電システム及び方法を提供することを目的とする。
【０００５】
【課題を解決するための手段】
本発明は前記問題点を解決するために、携帯電話機を充電する携帯電話機充電システムにおいて、複数の前記携帯電話機を同時に充電することが可能である複数の充電装置と、各前記充電装置に接続され、基地局を介した前記携帯電話機との情報交換に基づいて識別情報により該当する前記充電装置に充電を開始させると共に発信者番号により前記携帯電話機の認証を行い、前記充電装置の使用に対して課金を行う充電制御部とを備えることを特徴とする携帯電話機充電システムを提供する。
【０００６】
この手段により、携帯電話機に新機能を追加することもなく、硬貨等の現金を持っていなくても、外出先で手軽に充電できるようになった。
好ましくは、前記充電制御部には前記基地局を介した前記携帯電話機と情報交換を行うメッセージ送受信部が設けられ、前記基地局を介して、前記メッセージ送受信部は、充電開始要求の情報を前記携帯電話機から受信し、前記充電開始要求の情報に対する応答である充電開始確認の情報を前記携帯電話機に送信し、前記充電開始確認の情報に対する送信開始の了解情報を前記携帯電話機から受信する。
【０００７】
この手段により、携帯電話機充電システムは、基地局を介して、携帯電話機と情報交換し充電装置の充電の制御と同時に、使用料金の課金のために携帯電話機の認証も同時に行う。
好ましくは、前記充電装置に前記携帯電話機が装着され、且つ前記携帯電話機から前記基地局及び前記充電制御部を介して前記充電装置に充電開始要求情報が受信された時に、前記充電制御部から前記携帯電話機に前記基地局を介して充電開始確認情報の送信が行われる。
【０００８】
この手段により、携帯電話機が装着されず、又は充電開始要求情報が受信されていない場合には、充電準備未完了であるとして、充電開始確認情報の送信が行われず、充電待機となる。
好ましくは、前記充電装置の各々には固有情報入力部が設けられ、前記固有情報入力部に前記携帯電話機の固有情報が入力されると、前記メッセージ送受信部は前記固有情報に基づいて充電開始要求の情報を、前記基地局を介して、前記携帯電話機に送信し、前記充電開始要求の情報の応答である充電開始の情報を、前記基地局を介して、前記携帯電話機から受信する。
【０００９】
この手段により、携帯電話機充電システムは入力された固有情報に基づいて、携帯電話機と情報交換し充電装置の充電の制御と同時に、使用料金の課金のために携帯電話機の認証も同時に行う。
好ましくは、前記充電制御部は前記携帯電話機に使用料金の情報を、前記基地局を介して、提供する。
この手段により、前記携帯電話機は、前記基地局を介して前記充電制御部から送られた提供された情報から充電の使用料金を確認することが可能になる。
【００１０】
好ましくは、複数の前記充電装置と前記充電制御部の間が有線又は無線で接続される。さらに、好ましくは、複数の前記充電装置と前記充電制御部が一体に形成される。
この手段により、携帯電話機充電システムをコンパクトに構成することが可能になる。
【００１１】
好ましくは、前記携帯電話機の電池容量が全くない場合に、本格的な充電開始までの一定時間、前記基地局を介した前記携帯電話機と前記充電制御部との間の情報交換なしに充電を行う。
この手段により、電池容量が全くない携帯電話機と携帯電話機充電システムとの情報交換を確保するためである。
【００１３】
好ましくは、前記充電装置の使用に対する使用料金が電話料金と合わせて課金される。
この手段により、使用料金の回収が容易になる。
さらに、本発明は、携帯電話機を充電する携帯電話機充電方法において、複数の携帯電話機を同時に充電することが可能である複数の充電装置に接続される充電制御部が基地局を介して携帯電話機から充電開始要求、充電装置の識別情報、発信者番号を受信する工程と、識別情報により該当する充電装置に対して前記充電制御部から充電開始要求を送信する工程と、充電開始要求を受信した充電装置では携帯電話機の装着を確認し充電装置から前記充電制御部に充電開始確認を送信する工程と、充電開始確認を受信した前記充電制御部では基地局を介して前記携帯電話機に充電開始確認要求を送信し、充電開始の了解の伝達に対して、発信者番号により携帯電話機の認証を行い、前記充電装置に対して通電開始要求を行い、前記充電装置から充電開始及び充電終了の情報を受信し使用時間の計測に基づく使用料金を、基地局を介して、前記携帯電話機に送信し、前記携帯電話機の充電に対して課金を行う工程とを備えることを特徴とする携帯電話機充電方法を提供する。
【００１４】
この手段により、上記発明と同様に、携帯電話機に新機能を追加することもなく、硬貨等の現金を持っていなくても、外出先で手軽に充電できるようになった。
【００１５】
【発明の実施の形態】
以下、本発明の実施の形態について図面を参照して説明する。
図１は本発明に係る携帯電話機充電システムの概略構成を示すブロック図である。
本図に示すように、携帯電話機充電システムには複数の充電装置１が設けられ、複数の充電装置１は複数の携帯電話機９を同時に充電する装置である。携帯電話機９は、電池容量が不足し、充電を必要としている携帯電話機である。
【００１６】
複数の充電装置１には充電制御部５が接続され、充電制御部５は基地局１０を介して携帯電話機９との情報交換を行い、充電装置１の充電の制御と同時に、使用料金の課金のために携帯電話機９の認証も同時に行う。
充電装置１には電源制御部２が設けられ、電源制御部２は携帯電話機９に対する充電のための電力供給を行う。
【００１７】
さらに、充電装置１には着脱部３が設けられ、着脱部３は充電が行われる携帯電話機９の着脱の監視を行う。
さらに、充電装置１には情報処理部４が設けられ、情報処理部４は充電装置１の情報解析、制御、充電制御部５との送受信を行う。
次に、充電制御部５には情報処理部６が設けられ、情報処理部６は充電制御部５の情報解析、制御、充電装置１との送受信を行う。
【００１８】
さらに、充電制御部５には使用量管理部７が設けられ、使用量管理部７は携帯電話機充電システムの使用量を管理し、使用料金の計算、使用時間の計測を行う。
さらに、充電制御部５にはメッセージ送受信部８が設けられ、メッセージ送受信部８は携帯電話機９との情報、メッセージの送受信、解析を行う。
【００１９】
図２、図３は図１の携帯電話機充電システムの全体動作について説明するフローチャートである。
本図２に示すように、ステップＳ１０１において、携帯電話機９から基地局１０を介して充電制御部５のメッセージ送受信部８への通話により、充電を開始する旨の充電開始要求、充電装置１の識別情報、発信者番号等の情報が送られる。
【００２０】
携帯電話機９から送られる発信者番号は利用者の認証、課金に使用される。
携帯電話機９から充電制御部５への送信は、例えば、電話、ＳＭＳメッセージ、メール等の手段で実現される。
ステップＳ１０２において、メッセージ送受信部８は、携帯電話機９から送られてきた充電装置１の識別情報を基に、該当充電装置１の充電開始を行うために、情報処理部６に充電開始要求の情報の送信を要求する。
【００２１】
ステップＳ１０３において、該当充電装置１の情報処理部４では充電開始要求の情報が受信される。
ステップＳ１０４において、該当充電装置１の着脱部３では携帯電話機９の装着が確認される。
ステップＳ１０５において、装着していない場合に充電準備未完了として装着するまで待機する。
【００２２】
また、先に着脱部３に携帯電話機９が装着されている場合には、該当充電装置１の情報処理部４で充電開始要求を受信するまで充電準備未完了として待機する。
両方の条件が満たされた場合に次のステップＳ１０６に進む。
ステップＳ１０６において、該当充電装置１の情報処理部４から充電制御部５に充電開始確認の情報が送られる。充電の準備ができたことを知らせるためである。
【００２３】
ステップＳ１０７において、情報処理部６で充電開始確認要求が受信される。
ステップＳ１０８において、メッセージ送受信部８から携帯電話機９に充電開始確認要求が送られ、携帯電話機９の確認を促す。この場合、送られてきた発信者番号が用いられる。
ステップＳ１０９において、携帯電話機９から充電制御部５のメッセージ送受信部８へ充電開始して良いのであればその旨の操作をし、メッセージ送受信部８に対し充電開始の了解情報の伝達が行われる。
【００２４】
ステップＳ１１０において、メッセージ送受信部８では携帯電話機９から送られた情報が解析される。この解析により、携帯電話機９の認証が行われる。
ステップＳ１１１において、解析に基づいてメッセージ送受信部８から情報処理部６に通電開始要求の情報が送られる。
ステップＳ１１２において、さらに、情報処理部６から該当充電装置１に通電開始要求の情報が送信される。
【００２５】
ステップＳ１１３において、該当充電装置１の情報処理部４で通電開始要求が受信される。
ステップＳ１１４において、該当充電装置１では電源制御部２に対して通電の開始要求が伝えられる。
ステップＳ１１５において、該当充電装置１の情報処理部４から充電制御部５に通電開始の情報が送られる。
【００２６】
本図３に示すように、ステップＳ１１６において、情報処理部６で通電開始の情報を受信する。
ステップＳ１１７において、使用量管理部７に使用開始の情報が伝えられる。ステップＳ１１８において、使用量管理部７では使用時間の計測が開始される。
ステップＳ１１９において、該当充電装置１の着脱部３では充電満了か携帯電話機９が装着されているかの監視が行われる。
【００２７】
ステップＳ１２０において、携帯電話機９が脱却されている等の事象が発生した場合、該当充電装置１の電源制御部２では通電が停止される。
ステップＳ１２１において、該当充電装置１の情報処理部４から充電制御部５に通電停止情報が送信される。
ステップＳ１２２において、情報処理部６で充電終了の情報が受信される。
【００２８】
ステップＳ１２３に置いて、充電制御部５では充電終了の情報が使用量管理部７に通知される。
ステップＳ１２４において、使用量管理部７では使用時間の計測を終了し、使用料金、充電時間等の情報がメッセージ送受信部８に送信される。
ステップＳ１２５において、メッセージ送受信部８では使用量管理部７から送られた情報が携帯電話機９に送信される。
【００２９】
ステップＳ１２６において、携帯電話機９では充電制御部５から送られた情報で使用料金が確認される。
ステップＳ１２７において、費用の請求については、携帯電話機充電システムを所有する業者により、発信者番号、使用時間に基づき、使用料金が利用者に課金される。
【００３０】
したがって、本発明によれば、携帯電話機９からの充電開始要求により、携帯電話機９と携帯電話機充電システム間で送受信が行われ、携帯電話機充電システムは利用者を認証でき、利用者に対して使用料金の課金が可能になるので、利用者が現金を持っていなくても、携帯電話機９に充電を行わせることが可能になる。利用者にとっても、携帯電話機９に新機能を追加することもないので、外出先で手軽に携帯電話機９の充電を実現することが可能になる。
【００３１】
なお、携帯電話機９の電力が全くない場合には、充電装置１の着脱部３に装着した状態で、電源制御部２は、本格的充電開始までの一定時間の通電を行う仕組みを持つ。携帯電話機９とメッセージ送受信部８との情報交換ができるようにするためである。
また、充電装置１と充電制御部５は接近している場合には必ずしも独立している必要がなく一体であってもよく、充電装置１の情報処理部４と充電制御部５の情報処理部６間も有線、無線に区別なく利用可能である。充電装置１と情報処理部４とが離れている場合には無線が有利である。コンパクトな構成にするためである。
【００３２】
使用料金については、充電装置１及び充電制御部５からなる携帯電話機充電システムを管理する業者が直接請求するか、電話会社が電話料金と合わせてする徴収代行等を使用し回収する。後者の場合使用料金の回収が容易になる。
また、充電装置１を設置する場所を提供する業者と携帯電話機充電システムを提供する業者が同一である必要もない。充電装置１の設置場所の確保を容易にするためである。
【００３３】
図４は図１の変形例である携帯電話機充電システムの概略構成を示すブロック図である。
本図に示すように、図１と比較して、各充電装置１には、さらに、固有情報入力部１１が設けられ、固有情報入力部１１は、携帯電話機９の情報、例えば、電話番号等の固有の情報を入力する。
【００３４】
図５、図６は図４の携帯電話機充電システムの全体動作について説明するフローチャートである。本図５に示すように、ステップＳ２０１において、携帯電話機９を充電装置１の着脱部３に装着する。
ステップＳ２０２において、該当充電装置１の固有情報入力部１１から携帯電話機９の情報、例えば、電話番号等が入力され、情報処理部４に送られる。
【００３５】
ステップＳ２０３において、該当充電装置１の情報処理部４から充電制御部５に充電を開始する充電開始要求が送られる。充電の準備ができたことを知らせるためである。
ステップＳ２０４において、充電制御部５の情報処理部６に送られてきた充電開始要求の情報がメッセージ送受信部８に送信される。
【００３６】
ステップＳ２０５において、メッセージ送受信部８では携帯電話機９の情報に基づいて、携帯電話機９へメッセージが送られる。
ステップＳ２０６において、携帯電話機９では充電開始して良いのであればその旨の操作をして充電制御部５のメッセージ送受信部８に対し送信開始の了解情報の伝達が行われる。
【００３７】
ステップＳ２０７において、メッセージ送受信部８で携帯電話機９から送られた情報が解析される。この解析により、携帯電話機９の認証が行われる。
ステップＳ２０８において、メッセージ送受信部８から情報処理部６に通電開始要求の情報が送られる。
ステップＳ２０９において、情報処理部６から該当充電装置１の情報処理部４に通電開始要求の情報が送信される。
【００３８】
ステップＳ２１０において、該当充電装置１の情報処理部４で通電開始要求の情報が受信される。
ステップＳ２１１において、該当充電装置１では電源制御部２に対して通電の開始要求が伝えられる。
ステップＳ２１２において、該当充電装置１から充電制御部５に通電開始の情報が送られる。
【００３９】
ステップＳ２１３において、情報処理部６で通電開始の情報が受け取られる。ステップＳ２１４において、充電制御部５では使用量管理部７に使用開始の情報が伝えられる。
本図６に示すように、ステップＳ２１５において、使用量管理部７では使用時間の計測が開始される。
【００４０】
ステップＳ２１６において、該当充電装置１の着脱部３では充電満了か携帯電話機９が装着されているかの監視が行われる。
ステップＳ２１７において、携帯電話機９が脱却される等の事象が発生した場合には該当充電装置１では通電が停止される。
ステップＳ２１８において、該当充電装置１では情報処理部４に通電停止情報が送信される。
【００４１】
ステップＳ２１９において、受信した通電停止情報が該当充電装置１の情報処理部４から充電制御部５に送信される。
ステップＳ２２０において、情報処理部６で充電終了した旨の情報が受け取られる。
ステップＳ２２１において、充電制御部５では充電終了の情報が使用量管理部７に通知される。
【００４２】
ステップＳ２２２において、使用量管理部７では使用時間の計測を終了し、使用料金、充電時間等の情報がメッセージ送受信部８に送られる。
ステップＳ２２３において、メッセージ送受信部８では使用量管理部７から送られた情報が携帯電話機９に送信される。
ステップＳ２２４において、携帯電話機９では充電制御部５から送られた情報で使用料金等が確認される。
【００４３】
ステップＳ２２５において、費用の請求については、携帯電話機充電システムを所有する業者により、電話番号、使用時間に基づき、使用料金が利用者に課金される。
したがって、本発明によれば、携帯電話機９から充電装置１に対して自分の固有の情報として電話番号を入力することにより、携帯電話機９と携帯電話機充電システム間で送受信が行われ、携帯電話機充電システムは利用者を認証でき、利用者に対して使用料金の課金が可能になるので、利用者が現金を持っていなくても、携帯電話機９に充電を行わせることが可能になる。利用者にとっても、携帯電話機９に新機能を追加することもないので、外出先で手軽に携帯電話機９の充電を実現することが可能になる。
【００４４】
【発明の効果】
以上説明したように、本発明によれば、複数の携帯電話機を同時に充電し、携帯電話機との情報交換に基づいて充電を開始させると共に携帯電話機の認証を行い、携帯電話機の充電に対して課金を行うようにしたので、硬貨等の現金を持っていなくても、外出先で手軽に充電できるようになった。
【００４５】
さらに、メッセージ送受信部は、充電開始要求の情報を携帯電話機から受信し、充電開始要求の情報に対する応答である充電開始確認の情報を携帯電話機に送信し、充電開始確認の情報に対する送信開始の了解情報を携帯電話機から受信するようにしたので、携帯電話機充電システムは携帯電話機と情報交換し充電装置の充電の制御と同時に、使用料金の課金のために携帯電話機の認証も同時に行うことが可能になった。
【図面の簡単な説明】
【図１】本発明に係る携帯電話機充電システムの概略構成を示すブロック図である。
【図２】図１の携帯電話機充電システムの全体動作について説明するフローチャートである。
【図３】図１の携帯電話機充電システムの全体動作について説明するフローチャートである。
【図４】図１の変形例である携帯電話機充電システムの概略構成を示すブロック図である。
【図５】図４の携帯電話機充電システムの全体動作について説明するフローチャートである。
【図６】図４の携帯電話機充電システムの全体動作について説明するフローチャートである。
【符号の説明】
１…充電装置
２…電源制御部
３…着脱部
４…情報処理部
５…充電制御部
６…情報処理部
７…使用量管理部
８…メッセージ送受信部
９…携帯電話機
１０…基地局
１１…固有情報入力部
【図１】
0004284883.tif 000002
【図２】
0004284883.tif 000003
【図３】
0004284883.tif 000004
【図４】
0004284883.tif 000005
【図５】
0004284883.tif 000006
【図６】
0004284883.tif 000007